(57)【要約】【課題】配管フランジから着脱可能なアノード電極部材と、このアノード電極部材を用いて電気防食が可能な電気防食システムとを提供する。【解決手段】アノード電極部材１は、配管フランジ１１Ａ、１１Ｂに着脱可能である。アノード電極部材１は、配管１０Ａ、１０Ｂの長手方向に延びる主部２と、主部２の内部に設けられ、流体が流動する流路３と、流体の流動方向における上流側Ｕから下流側Ｄに向けて徐々に小さくなる内径４ｄを有し、流路３の上流側Ｕに設けられたテーパ部４と、流体の流動方向における上流側Ｕに位置し、配管１０Ａ、１０Ｂの内径に略等しい外径５ｄを有する大径部５と、流体の流動方向における下流側Ｄに位置し、大径部５の外径５ｄよりも小さい外径６ｄを有し、配管１０Ａの内部に向けて延在する小径部６と、主部２の外面から外側に突出し、配管フランジ１１Ａ、１１Ｂに接触可能な突起部７とを有する。【選択図】図１
2018154891.tif 000002
【特許請求の範囲】
【請求項１】
配管フランジに着脱可能なアノード電極部材であって、
配管の長手方向に延びる主部と、
前記主部の内部に設けられ、流体が流動する流路と、
前記流体の流動方向における上流側から下流側に向けて徐々に小さくなる内径を有し、前記流路の前記上流側に設けられたテーパ部と、
前記流体の前記流動方向における前記上流側に位置し、前記配管の内径に略等しい外径を有する大径部と、
前記流体の前記流動方向における前記下流側に位置し、前記大径部の前記外径よりも小さい外径を有し、前記配管の内部に向けて延在する小径部と、
前記主部の外面から外側に突出し、前記配管フランジに接触可能な突起部と、
を有するアノード電極部材。
【請求項２】
前記小径部の外面には、凹凸部が形成されている請求項１に記載のアノード電極部材。
【請求項３】
配管フランジを備えた配管と、
前記配管フランジに接触固定されかつ前記配管の内部に設けられた、請求項１又は請求項２に記載のアノード電極部材と、
前記配管の外部に接続されたカソード電極と、
前記アノード電極部材及び前記カソード電極に配線を介して接続された直流電源と、
を備える電気防食システム。
【請求項４】
前記カソード電極は、前記アノード電極部材の前記小径部に対向する配管の外部に接続されている請求項３に記載の電気防食システム。
【請求項５】
前記アノード電極部材の前記小径部の外面と、前記配管の内面との間に隙間が設けられている請求項３又は請求項４に記載の電気防食システム。
【発明の詳細な説明】
【技術分野】
【０００１】
本発明は、アノード電極部材及び電気防食システムに関する。
【背景技術】
【０００２】
従来から、犠牲腐食部材を備えた電食防止構造が知られている（特許文献１を参照）。この電食防止構造は、第１管材から第２管材へ流体を介して流れるジャンピング電流により、管材の腐食を防止する。
【先行技術文献】
【特許文献】
【０００３】
【特許文献１】特開２００１−８１５８１号公報
【発明の概要】
【発明が解決しようとする課題】
【０００４】
ところで、上記従来の電食防止構造においては、犠牲腐食部材は、電位が高い管材に溶接等で接続されており、溶接によって管材に設けられた犠牲腐食部材を容易に取り外すことができないという問題があった。
【０００５】
本発明はこのような事情を考慮してなされたもので、配管フランジから着脱可能なアノード電極部材と、このアノード電極部材を用いて電気防食が可能な電気防食システムとを提供することを目的とする。
【課題を解決するための手段】
【０００６】
上記課題を解決するために、本発明の第一態様に係るアノード電極部材は、配管フランジに着脱可能なアノード電極部材であって、配管の長手方向に延びる主部と、前記主部の内部に設けられ、流体が流動する流路と、前記流体の流動方向における上流側から下流側に向けて徐々に小さくなる内径を有し、前記流路の前記上流側に設けられたテーパ部と、前記流体の前記流動方向における前記上流側に位置し、前記配管の内径に略等しい外径を有する大径部と、前記流体の前記流動方向における前記下流側に位置し、前記大径部の前記外径よりも小さい外径を有し、前記配管の内部に向けて延在する小径部と、前記主部の外面から外側に突出し、前記配管フランジに接触可能な突起部と、を有する。
【０００７】
上記態様に係るアノード電極部材は、配管に溶接されていない。このため、配管フランジに着脱可能なアノード電極部材を実現することができる。上記態様に係るアノード電極部材において、アノード電極部材内に流体が流入すると、流体は、流路の内部を流れる。アノード電極部材の上流側にはテーパ部が設けられているので、テーパ部に接触する流体は、テーパ部の表面形状に沿って流動し、流路内に導かれ、流路の内部に流れる。流路を通過した流体は、配管に向けて流動する。テーパ部が形成されているため、流体が淀むことなく、流路内に流体をスムーズに流すことができる。
【０００８】
上記第一態様に係るアノード電極部材においては、前記小径部の外面には、凹凸部が形成されてもよい。
上記態様に係るアノード電極部材によれば、小径部の外面の表面積が増加し、小径部と流体との接触面積を大きくすることができる。
【０００９】
本発明の第二態様に係る電気防食システムは、配管フランジを備えた配管と、前記配管フランジに接触固定されかつ前記配管の内部に設けられた、上記第一態様に係るアノード電極部材と、前記配管の外部に接続されたカソード電極と、前記アノード電極部材及び前記カソード電極に配線を介して接続された直流電源と、を備える。
上記態様に係る電気防食システムによれば、直流電源からアノード電極部材に電流が供給される。このため、カソード電極が接続されている配管の内面、即ち、流体と接する配管の内面には電子が供給される。流体中のカチオン（正イオン）は、配管に引き寄せられ、腐食反応によって配管の金属カチオンが放出することが抑制される。この結果、配管の腐食を抑制することができる。
【００１０】
上記第二態様に係る電気防食システムにおいては、前記カソード電極は、前記アノード電極部材の前記小径部に対向する配管の外部に接続されてもよい。
上記態様に係る電気防食システムによれば、小径部に対向する配管の腐食を抑制することができる。
【００１１】
上記第二態様に係る電気防食システムにおいては、前記アノード電極部材の前記小径部の外面と、前記配管の内面との間に隙間が設けられてもよい。
上記態様に係る電気防食システムによれば、隙間に流体が存在する。この隙間に存在する流体中のカチオン（正イオン）は、配管に引き寄せられ、腐食反応によって配管の金属カチオンが放出することが抑制される。この結果、配管の腐食を抑制することができる。
【発明の効果】
【００１２】
本発明の上記態様によれば、配管フランジから着脱可能なアノード電極部材と、このアノード電極部材を用いて電気防食が可能な電気防食システムとを提供することができる。
【図面の簡単な説明】
【００１３】
【図１】本発明の実施形態に係るアノード電極部材を備えた電気防食システムの概略構成を示す部分断面図である。
【発明を実施するための形態】
【００１４】
以下、本実施形態に係るアノード電極部材を備えた電気防食システムの構成を、図１を参照しながら説明する。
本実施形態の説明に用いる図１では、各部材を認識可能な大きさとするため、各部材の縮尺を適宜変更している。
本実施形態において、「上流側」とは、配管の内部を流動する流体の流動方向における上流側を意味する。「下流側」とは、配管の内部を流動する流体の流動方向における下流側を意味する。
本実施形態において、「流体」としては、例えば、配管材料の腐食を招く恐れがある海水等が挙げられる。
【００１５】
（電気防食システム）
電気防食システム１００は、配管フランジ１１Ａ（第１フランジ）を備えた配管１０Ａ（第１配管）と、配管フランジ１１Ｂ（第２フランジ）を備えた配管１０Ｂ（第２配管）と、アノード電極部材１と、配管１０Ａの外部に接続されたカソード電極２０と、アノード電極部材１及びカソード電極２０に配線を介して接続された直流電源３０とを備える。アノード電極部材１は、配管フランジ１１Ａ、１１Ｂに接触固定され、かつ、配管１０Ａ、１０Ｂの内部に設けられている。
【００１６】
カソード電極２０は、アノード電極部材１の小径部６に対向する配管１０Ａの外部に接続されている。アノード電極部材１の小径部６の外面と、配管１０Ａの内面との間には隙間Ｇが設けられている。図１に示す例では、アノード電極部材１の近くにカソード電極２０が配置されているが、アノード電極部材１とカソード電極２０との距離は、図１に限定されない。アノード電極部材１から離れた位置にカソード電極２０が配置されてもよい。
【００１７】
配管フランジ１１Ａ、１１Ｂの間には、絶縁シール部材１５が設けられている。絶縁シール部材１５は、アノード電極部材１を被覆固定し、配管フランジ１１Ａ、１１Ｂの間の接続部を密閉している。
配管フランジ１１Ａ、１１Ｂは、公知のボルト及びナット等を用いた締結部材（不図示）により、互いに固定されている。
【００１８】
アノード電極部材１及びカソード電極２０の各々から延出する配線は、直流電源３０に接続されている。アノード電極部材１は、配線を介して、直流電源３０のプラス側に接続されている。カソード電極２０は、配線を介して、直流電源３０のマイナス側に接続されている。直流電源３０は、商用電源（交流）を直流に変換するＡＣ−ＤＣ変換器を備え、直流電圧をアノード電極部材１とカソード電極２０との間に印加することが可能である。また、直流電源３０として、例えば、一次電池、二次電池、又は太陽電池等を用いてもよい。アノード電極部材１とカソード電極２０との間に印加される電圧は、１Ｖ〜２Ｖ程度である。
【００１９】
（アノード電極部材）
アノード電極部材１は、配管フランジ１１Ａ、１１Ｂに着脱可能であり、配管１０Ａ、１０Ｂに溶接されていない。アノード電極部材１は、主部２と、流路３と、テーパ部４と、大径部５と、小径部６と、突起部７とを有する。アノード電極部材１を構成する材料としては、カーボン、グラファイト、フェライト等が挙げられる。アノード電極部材１の延在方向から見て（符号Ｆ）、アノード電極部材１は、円筒形状に形成されている。
【００２０】
主部２は、配管１０Ａ、１０Ｂの長手方向に延びている。
流路３は、主部２の内部に設けられている。流路３の内部に、流体が流動する。流路３の内壁には、流体の流動性を促進させる溝が形成されてもよい。溝は、上流側Ｕから下流側Ｄに向けて延びる直線溝でもよいし、螺旋状の溝であってもよい。
【００２１】
テーパ部４は、傾斜面を有しており、流体の流動方向における上流側Ｕから下流側Ｄに向けて徐々に小さくなる内径４ｄを有する。テーパ部４は、流路３の上流側Ｕに設けられている。
【００２２】
大径部５は、流体の流動方向における上流側Ｕに位置し、配管１０Ｂの内径に略等しい外径５ｄを有する。図１に示す例では、大径部５は、突起部７の右側に位置する。大径部５の外面は、配管１０Ｂの内面に接触してもよいし、接触しなくてもよい。ただし、大径部５の外面と、配管１０Ｂの内面との間に大きな隙間が形成されていると、流体の流れが阻害される恐れがあるため、外径５ｄは、配管１０Ｂの内径に略等しいことが好ましい。
【００２３】
小径部６は、流体の流動方向における下流側Ｄに位置し、大径部５の外径５ｄよりも小さい外径６ｄを有する。図１に示す例では、小径部６は、突起部７の左側に位置する。小径部６の外面には、凹凸部８が形成されている。凹凸部が形成されていない場合に比べて、凹凸部８が形成されている小径部６の外面の表面積は大きくなっており、小径部６と流体との接触面積が大きくなっている。
【００２４】
突起部７は、主部２の外面から外側に突出し、配管フランジ１１Ａ、１１Ｂに接触可能である。特に、図１に示す例では、突起部７は、配管フランジ１１Ａ、１１Ｂによって挟持され、固定されている。突起部７は、大径部５と小径部６との間に位置する。突起部７が配管フランジ１１Ａ、１１Ｂによって挟持されることで、アノード電極部材１が配管１０Ａ、１０Ｂに電気的に接続されている。
【００２５】
次に、以上のように構成されたアノード電極部材１を備える電気防食システム１００の作用について説明する。
アノード電極部材１が配管１０Ａ、１０Ｂ内に配置された状態で、符号Ｆに示す方向にて、配管１０Ａから配管１０Ｂに流体が流動する。アノード電極部材１内に流入する流体は、流路３の内部を流れる。アノード電極部材１の上流側Ｕにはテーパ部４が設けられているので、テーパ部４に接触する流体は、テーパ部４の表面形状に沿って流動し、流路３内に導かれ、流路３の内部に流れる。流路３を通過した流体は、配管１０Ａに向けて流動する。小径部６の外面と、配管１０Ａの内面との間には隙間Ｇが設けられているので、隙間Ｇには流体が溜まる。
【００２６】
直流電源３０からアノード電極部材１に電流が供給される。電流は、隙間Ｇ内の流体を介して、小径部６から配管１０Ａの内面に流れる。このため、カソード電極２０が接続されている配管１０Ａの内面、即ち、隙間Ｇの流体と接する配管１０Ａの内面には電子が供給される。流体中のカチオン（正イオン）は、配管１０Ａに引き寄せられ、腐食反応によって配管１０Ａの金属カチオンが放出することが抑制される。
【００２７】
以上説明したように、本実施形態に係るアノード電極部材１によれば、テーパ部４が形成されているため、流体が淀むことなく、流路３内に流体をスムーズに流すことができる。電気防食システム１００によれば、配管１０Ａの腐食を抑制することができる。小径部６の外面に凹凸部８が形成されているため、隙間Ｇにおいて流体と小径部６との接触面積が増加し、広い面積で、小径部６から配管１０Ａの内面に電流を供給することができる。
【００２８】
また、アノード電極部材１を配管フランジ１１Ａと配管フランジ１１Ｂとの間に設け、かつ、カソード電極２０を配管１０Ａに接続するだけで、上記効果が得られるため、簡素な構造で、配管１０Ａの腐食を抑制することができる。
【００２９】
以上、本発明の好ましい実施形態を説明し、上記で説明してきたが、これらは本発明の例示的なものであり、限定するものとして考慮されるべきではないことを理解すべきである。追加、省略、置換、およびその他の変更は、本発明の範囲から逸脱することなく行うことができる。従って、本発明は、前述の説明によって限定されていると見なされるべきではなく、請求の範囲によって制限されている。
【符号の説明】
【００３０】
１  アノード電極部材
２  主部
３  流路
４  テーパ部
４ｄ  内径
５  大径部
５ｄ  外径
６  小径部
６ｄ  外径
７  突起部
８  凹凸部
１０Ａ  配管
１０Ｂ  配管
１１Ａ  配管フランジ
１１Ｂ  配管フランジ
１５  絶縁シール部材
２０  カソード電極
３０  直流電源
１００  電気防食システム
Ｄ  下流側
Ｇ  隙間
Ｕ  上流側
【図１】
2018154891.tif 000003